(57)【要約】【課題】ワイシャツなどの衣類の着衣動作及び脱衣動作を容易にするとともに、腕捲りの際に捲りあげた袖が捲り戻ることのない衣類の装着具の提供を課題とする。【解決手段】衣類の装着具１は、弾性変形可能な材料で形成された長尺状の弾性帯４と、弾性帯４一端に取設されたボタン取付部５と、ボタン取付部５に取付けられ、シャツの袖３に設けられた袖側ボタンホール１１に掛止め可能なボタン６と、弾性帯４の他端に取設され、袖２に取付けられた袖側ボタン１２を掛止め可能なボタンホール７が貫設されたボタンホール部８とを具備し、弾性帯４、ボタン取付部５、及びボタンホール部８が弾性変形可能な材料によって一体的に形成されている。【選択図】図１
2014100439.tif 000002
【特許請求の範囲】
【請求項１】
長手方向に弾性変形可能な長尺状の弾性帯と、
前記弾性帯の一端に設けられたボタン取付部と、
前記ボタン取付部に取付けられ、衣類の袖または襟元に設けられた衣類側ボタンホールに掛止め可能なボタンと、
前記弾性帯の他端に設けられ、前記袖または前記襟元に取付けられた衣類側ボタンを掛止め可能なボタンホールが貫設されたボタンホール部と
を具備することを特徴とする衣類の装着具。
【請求項２】
前記弾性帯、前記ボタン取付部、及び前記ボタンホール部は、
弾性変形可能な材料によって一体的に構成されていることを特徴とする請求項１に記載の衣類の装着具。
【発明の詳細な説明】
【技術分野】
【０００１】
本発明は、衣類の装着具に関するものであり、特にワイシャツなどの衣類の袖または襟元に装着され、袖口または襟口の開き具合を調整可能な衣類の装着具に関するものである。
【背景技術】
【０００２】
ワイシャツ、ブラウスなどの主に上衣の袖や襟元には、一対の生地を互いに重ね合わせた状態で保持するために、一方の生地に縫着されたボタンと、他方の生地に当該ボタンと対向する位置に貫設されたボタンホールとが形成されている。そして、ワイシャツなどを着衣する場合には、一対の生地を互いに重ね合わせるようにしてボタンホールにボタンを挿入し、掛止めすることで生地同士の重ね合わせ状態を保持することができる。これにより、袖口や襟口を閉じることができる。一方、脱衣する場合には、掛止めされたボタンをボタンホールから外すことにより、生地同士の重ね合わせ状態を解除することができ、袖口や襟口を広くすることができる。これにより、例えば、袖口から手首の先の部分を引き抜くことができる。すなわち、ボタン及びボタンホールの掛止及び掛止め状態を解除することにより、袖口或いは襟口の開き具合を“閉状態”から“開状態”の間で変化させることができる。
【０００３】
例えば、幼児やお年寄りなどの指先の力が弱い人々にとっては、ボタンホールにボタンを掛止めしたり、ボタンホールからボタンを外す動作が困難になることがあった。そのため、上述した着衣動作や脱衣動作を速やかに行うことができず、多くの時間がかかることがあった。また、水を扱う作業を行う場合は袖口が濡れることを防ぐために、シャツの袖を肘の近傍まで捲り上げる腕捲りを行うことがある。この場合、掛止めされていた袖のボタンをボタンホールから外し、肘の近傍に到達するまで袖を何度か折り畳むことを行っていた。また、折り畳んで捲り上げた袖を元に戻す場合、上記と逆の動作を行い、折り畳まれた袖を手首付近まで伸ばし、さらにボタンをボタンホールに掛止めすることを行っていた。そのため、係る動作を面倒に感じることがあった。また、腕捲りした袖が、時間経過や腕の激しい動きによって徐々に捲り戻されることもあり、係る場合には腕捲りの動作を再度を行う必要があった。なお、腕捲りは、上述した水を扱う作業以外にも、夏季などに体温調節のために行われることもある。
【発明の概要】
【発明が解決しようとする課題】
【０００４】
そこで、本発明は、上記実情に鑑み、ワイシャツなどの衣類の着衣動作及び脱衣動作を容易にするとともに、腕捲りの際に捲り上げた袖が捲り戻ることのない衣類の装着具の提供を課題とするものである。
【課題を解決するための手段】
【０００５】
上記の課題を解決するため、本発明の衣類の装着具は、「長手方向に弾性変形可能な長尺状の弾性帯と、前記弾性帯の一端に設けられたボタン取付部と、前記ボタン取付部に取付けられ、衣類の袖または襟元に設けられた衣類側ボタンホールに掛止め可能なボタンと、前記弾性帯の他端に設けられ、前記袖または前記襟元に取付けられた衣類側ボタンを掛止め可能なボタンホールが貫設されたボタンホール部と」を具備している。
【０００６】
ここで、弾性帯とは、応力に応じて弾性変形可能なアクリルゴム、イソプレンゴム、ウレタンゴム、及びシリコーンゴムなどの合成樹脂製のゴムからなるものや、或いはコイルバネのような弾性部材から構成されるものであり、それらが長尺状に形成されたものである。これにより、ボタン取付部とボタンホール部との間を広げるように力を加えると、力を加える前と比べて弾性帯が伸びて長くなるものである。また、力を加えることを中止することで、弾性帯は伸張前の長さに戻る。
【０００７】
ボタン取付部とは、弾性帯の一端に取設される部材であり、後述するボタンを取付けるためのものであり、例えば、布帛や平板状の樹脂製のプレートなどが使用可能である。また、ボタン取付部に対するボタンの取付けは、特に限定されないが、例えば、通常のボタンのように、糸を用いてボタン取付部に縫着したものなどを示すことができる。取付けられるボタンは、衣類の袖または襟元に設けられた衣類側ボタンホールに掛止め可能な形状（例えば、円板状）及びサイズで構成されたプラスチック製、金属製、或いは木製などを使用することができる。また、衣類側ボタンホールは、衣類の袖や襟元に設けられた、一般に細長形状に貫設されたものである。これにより、ボタンが衣類側ボタンホールに挿入されることにより、ボタン及びボタン取付部の間に衣類側ボタンホールの設けられた衣類の一部を介設した状態になる。
【０００８】
一方、ボタンホール部は、弾性帯の他端に取設される部材であり、ボタン取付部と同様に、例えば、平板状の形状を呈して構成されている。このボタンホール部は、ボタンホールが貫設されている。これにより、衣類側ボタンを係るボタンホールに挿入し、掛止めすることにより、衣類側ボタン及び衣類側ボタンの取付けられた衣類の一部の間にボタンホール部を介設した状態になる。
【０００９】
したがって、本発明の衣類の装着具によれば、衣類に設けられた衣類側ボタンをボタンホールの掛止めし、さらに衣類側ボタンホールにボタンを掛止めすることにより、衣類の袖または襟元に、本発明の衣類の装着具を架渡した状態で装着することができる。ボタン取付部及びボタンホール部の間に設けられた弾性帯が弾性変形可能であるため、係る状態で袖口または襟口を広げる方向に力を加えることで、長手方向に伸張し、弾性帯の長さが変化して袖口などを広げることができる。これにより、衣類側ボタンの掛止めを外すことなく、着衣動作及び脱衣動作を行うことができ、また腕捲り動作を行うことができる。なお、袖口または襟口を広げる方向に加える力を弱めることにより、弾性帯は元の長さに戻る。
【００１０】
さらに、本発明の衣類の装着具は、上記構成に加え、「前記弾性帯、前記ボタン取付部、及び前記ボタンホール部は、弾性変形可能な材料によって一体的に構成されている」ものであっても構わない。
【００１１】
したがって、本発明の衣類の装着具によれば、例えば、アクリルゴムのような合成樹脂製のゴムを型に流し込み、ボタンを除く本発明の装着具を一体化して形成することができ、衣類の装着具の製造を容易にすることができる。
【発明の効果】
【００１２】
本発明の効果によれば、衣類の装着具を袖または襟元に装着することにより、ボタンの掛止め動作を行うことなく、袖口または襟口の開き具合を調整することができる。
【図面の簡単な説明】
【００１３】
【図１】本実施形態の衣類の装着具の構成を示す（ａ）平面図、（ｂ）正面図、及び（ｃ）斜視図である。
【図２】衣類の装着具の袖への装着例を示す説明図である。
【図３】弾性帯を伸張させた状態を示す説明図である。
【図４】衣類の装着具の襟元への装着例を示す説明図である。
【図５】衣類の装着具の別例構成を示す正面図である。
【発明を実施するための形態】
【００１４】
以下、本発明の一実施形態である衣類の装着具１（以下、単に「装着具１」と称す）について、図１乃至図５に基づいて説明する。ここで、本実施形態の装着具１は、ワイシャツ（衣類に相当）の袖２に装着し、袖２の袖口３の開き具合を調整するために使用するものについて主に説明をする。
【００１５】
本実施形態の装着具１は、弾性帯４と、弾性帯４の一端に取設されたボタン取付部５と、ボタン取付部５に取付けられたボタン６と、弾性帯４の他端に取設され、ボタンホール７が貫設されたボタンホール部８とを具備している。ここで、弾性帯４、ボタン取付部５、及びボタンホール部８は、アクリル系樹脂を型に流し込んで冷却することによって形成された弾性変形可能なアクリルゴムからなっている。
【００１６】
さらに具体的に説明すると、弾性帯４は、断面四角形の帯状を呈するものであり、長手方向に加わる力に対して伸縮可能なものである。そして、係る弾性帯４の一端及び他端にそれぞれ取設されたボタン取付部５及びボタンホール部８は、それぞれ円板状を呈している（図１参照）。なお、弾性帯４、ボタン取付部５、及びボタンホール部８の厚みは、図１（ｂ）に示すように、同一となっている。さらに、ボタン取付部５に取付けられるボタン６は、ワイシャツに使用されるプラスチック製の円形状のものであり、中央部分に四つつのボタン穴９が貫設されている。そのため、生地に対するボタン付けと同様に、針に糸１０を通し、当該ボタン穴９を介してボタン取付部５にボタン６を縫着することにより、ボタン６がボタン取付部５に固定される。なお、ボタン取付部５を構成するアクリルゴムは弾性変形可能な軟質性状のものであるため、ボタン取付部５の上面５ａ及び下面５ｂ（図１（ｂ）参照）の間を糸１０の付けられた針は貫通することができる。
【００１７】
また、ボタンホール部８には、中央部分に細長形状に切込まれたボタンホール７が貫設されている。ここで、本実施形態の装着具１におけるボタン６は、装着具１の装着対象のシャツの袖２の一方の袖端２ａの近傍に設けられた細長形状の袖側ボタンホール１１に掛止め可能な大きさで形成されている。また、ボタンホール７は、袖２の他方の袖端２ｂの近傍に取付けられた袖側ボタン１２を掛止め可能な大きさで形成されている。なお、袖側ボタンホール１１の長手方向の長さに対してボタン６の直径は短く設定され、一方、ボタンホール７の長手方向の長さに対して袖側ボタン１２の直径は短く設定されている。これにより、ボタン６を袖側ボタンホール１１に掛止めすることができ、さらに袖側ボタン１２をボタンホール７に掛止めすることができる。また、ボタン６に装飾を施した飾りボタンにしたものであっても構わない。ここで、袖側ボタンホール１１が本発明の衣類側ボタンホールに相当し、袖側ボタン１２が本発明の衣類側ボタンに相当する。
【００１８】
次に、本実施形態の装着具１を使用した袖２に対する装着例について説明する。始めに、本実施形態の装着具１のボタン６を袖２の一方の袖端２ａの近傍に設けられた袖側ボタンホール１１に掛止めする。具体的に説明すると、袖２の内側から袖側ボタンホール１１に対してボタン縁６ａが直交するようにボタン６を近づけ、袖側ボタンホール１１に挿入し掛止めする。これにより、袖２の内側にボタン取付部５が当接し、袖２の外側にボタン６が当接した状態で、ボタン６及びボタン取付部５の間に袖側ボタンホール１１が挟まれた状態でボタン６が掛止めされる。
【００１９】
さらに、袖側ボタンホール１１と本来掛止めされる袖２の他方の袖端２ｂの近傍に設けられた袖側ボタン１２を、本実施形態の装着具１のボタンホール７に同様に掛止めする。ここで、袖側ボタン１２は、袖２の外側に取付けられているため、ボタンホール７が貫設されたボタンホール部８は、袖２の外側から上記袖側ボタン１２に近づけられる。これにより、袖２の外側にボタンホール部８が当接し、袖２の外側と袖側ボタン１２の間にボタンホール部８が挟まれた状態で袖側ボタン１２が掛止めされる。これにより、本実施形態の装着具１が袖２に装着される（図２参照）。
【００２０】
上記の装着状態で袖２の袖口３を広げる方向、換言すれば、袖２の一方の袖端２ａ及び他方の袖端２ｂを離間する方向に力を加える（図３参照）。これにより、長手形状の弾性帯４が加わった力によって伸びる。これにより、袖口３が広げられる。その結果、係る袖口３を手首から先の部分が引っ掛かることなく通過することができる。したがって、ワイシャツの着衣及び脱衣の際に、袖側ボタン１２の掛止め動作をする必要がない。なお、広げる方向に加える力を止めることにより、弾性帯４は元の長さの状態に戻る。すなわち、一方の袖端２ａ及び他方の袖端２ｂが互いに近接する方向に移動する。
【００２１】
以上、説明したように、本実施形態の装着具１によれば、シャツの袖２に設けられた既存の袖側ボタン１２及び袖側ボタンホール１１を用いて容易に装着することができ、ボタン取付部５及びボタンホール部８の間の弾性帯４が弾性変形することによって、袖口３の開き具合を調整することができる。これにより、装身具１を装着した状態で袖口３に手首を抜き挿しすることができる。
【００２２】
さらに、本実施形態の装着具１を装着した状態で袖２を腕捲りした場合、弾性帯４が伸張することによって袖口３が広がるため、袖２の捲り上げが容易に行える。また、肘の付近は袖口３よりも太いため、弾性帯４が肘付近を締め付ける働きをする。その結果、捲り上げられた袖２が腕の動きによって垂れ下がることがない。また、装着具１の一部を構成するボタン６は、糸１０によって縫着されているため、交換が容易となる。そのため、装着具１を装着するシャツなどの衣類に予め付けられている袖側ボタン１２と類似するボタンを選択することにより、シャツのデザイン性などを損なうことがない。また、係る装飾を施したボタンを取付けることにより、アクセサリの一部として使用することも可能となる。
【００２３】
以上、本発明について好適な実施形態を挙げて説明したが、本発明はこれらの実施の形態に限定されるものではなく、以下に示すように、本発明の要旨を逸脱しない範囲において、種々の改良及び設計の変更が可能である。
【００２４】
例えば、図４に示すように、本実施形態の装着具１をシャツの襟元１３に装着するものであっても構わない。これにより、襟元１３に設けられた襟元側ボタンホール１４に、装着具１のボタン６を掛止めし、襟元側ボタン１５を装着具１のボタンホール７に掛止めすることにより、襟元１３に装着具１を掛渡して装着することができる。なお、襟元１３の襟口１６の開口を調整する作用は、上述と同じため、ここでは説明を省略する。ここで、襟元側ボタンホール１４が本発明の衣類側ボタンホールに相当し、襟元側ボタン１５が本発明の衣類側ボタンに相当する。
【００２５】
さらに、図５に示すように、本発明の別例構成の装着具１７として、ボタン１８を弾性帯４、ボタン取付部５、及びボタンホール部８とアクリルゴムで一体的に形成したものであっても構わない。この場合、ボタン１８は、ボタン取付部５の上面５ａから突設された取付軸１９と接続されている。係る構成の装着具１７を採用することにより、ボタン１８をボタン取付部５に糸１０で縫着する作業を省略することができる。
【符号の説明】
【００２６】
１，１７  装着具（衣類の装着具）
２  袖
２ａ，２ｂ  袖端
３  袖口
４  弾性帯
５  ボタン取付部
５ａ  上面
５ｂ  下面
６  ボタン
６ａ  ボタン縁  
７  ボタンホール
８  ボタンホール部
９  ボタン穴
１０  糸
１１  袖側ボタンホール（衣類側ボタンホール）
１２  袖側ボタン（衣類側ボタン）
１３  襟元
１４  襟元側ボタンホール（衣類側ボタンホール）
１５  襟元側ボタン（衣類側ボタン）
１６  襟口
【図１】
2014100439.tif 000003
【図２】
2014100439.tif 000004
【図３】
2014100439.tif 000005
【図４】
2014100439.tif 000006
【図５】
2014100439.tif 000007